(57)【要約】【課題】利用者の特性や機器の諸元やタッチパネル画面への入力手段などに応じて、タッチパネル画面上のアイテムをタッチパネル画面上のエリアに自動的に再配置できる携帯情報機器。【解決手段】入力操作により複数のアイテムのうち利用したアイテムと利用したエリアに関する入力情報を制御する入力制御部２１と、入力情報に基づいて利用したアイテムと利用したエリアの解析を行う入力情報解析部２２と、入力情報解析部の解析情報に基づいて利用したアイテムと利用したエリアの利用頻度順位を判定し、入力情報に付加情報を関連付けたユーザ利用情報を管理するユーザ利用情報管理部２３と、利用したアイテムと利用したエリアの利用頻度順位に基づいてタッチパネル画面上での複数のアイテムの配置を決定する表示構成制御部２５を備えたことにより、利用頻度順位の高いアイテムをタッチパネル画面上の利用頻度順位の高いエリアへ自動的に再配置できる。【選択図】図２
2011209824.tif 000002
【特許請求の範囲】
【請求項１】
複数のアイテムを表示する表示部と、
タッチ入力を検出する入力部と、
前記入力部の検出したタッチ入力に基づいて、前記入力部の前記複数のアイテムのうちいずれかに対する操作であって前記複数のアイテムのうちいずれかを選択する第１の操作と、前記入力部の前記複数のアイテムに対応する位置とは無関係な複数の位置のうちいずれかの位置に対する操作であって前記複数のアイテムのいずれをも選択しない第２の操作と、を判定する入力情報判定部と、
前記複数のアイテムのそれぞれに対して前記第１の操作を行った頻度をカウント記録する第１の記録部と、
前記入力部の複数の位置のそれぞれに対して前記第２の操作を行った頻度をカウント記録する第２の記録部と、
前記入力部の複数の位置のうち前記第２の操作を行った頻度の高い位置に、前記複数のアイテムのうち前記第１の操作を行った頻度の高いアイテムを表示させる表示構成制御部と、
を備える情報機器。
【請求項２】
前記第１の操作は、タップ操作であり、
前記第２の操作は、スライド操作又はフリック操作である
請求項１に記載の情報機器。
【請求項３】
前記入力部は、タッチパネルである
請求項１又は請求項２に記載の情報機器。
【請求項４】
タッチパネル画面上に複数のアイテムを表示し、タッチパネルを介して入力操作を行う携帯情報機器であって、
前記入力操作により前記複数のアイテムのうち利用したアイテムと利用したエリアに関する入力情報を入力制御する入力制御部と、
前記入力情報に基づいて前記利用したアイテムと前記利用したエリアの解析を行う入力情報解析部と、
前記入力情報解析部の解析情報に基づいて前記利用したアイテムと前記利用したエリアの利用頻度順位を判定し、前記入力情報に付加情報を関連付けたユーザ利用情報を管理するユーザ利用情報管理部と、
前記利用したアイテムと前記利用したエリアの利用頻度順位に基づいてタッチパネル画面上での前記複数のアイテムの配置を決定する表示構成制御部を備える
携帯情報機器。
【請求項５】
前記入力情報は、タッチパネル画面上のタッチ座標位置とリリース座標位置およびタッチ回数を含む
請求項４に記載の携帯情報機器。
【請求項６】
前記利用したアイテムと前記利用したエリアの利用頻度順位は、前記タッチ回数を降順に並べて判定する
請求項５に記載の携帯情報機器。
【請求項７】
前記付加情報は、時刻情報とアプリケーション情報とであることを特徴とする
請求項４記に載の携帯情報機器
【請求項８】
前記表示構成制御部は、前記利用頻度順位の高いエリアが交差している場合は交差点を優先順位の高いエリアとして判定し、前記利用頻度順位の高いエリアが分散している場合は上位の複数点を結んで囲まれた領域内を優先順位の高いエリアとして判定する
請求項４に記載の携帯情報機器。
【請求項９】
前記表示構成制御部は、前記利用頻度順位の高いエリアに前記利用したアイテムを大きいサイズで表示し、前記利用頻度順位の高いエリア外の領域に前記利用したアイテム以外のアイテムを小さいサイズで表示する
請求項４に記載の携帯情報機器。
【請求項１０】
前記表示構成制御部は、前記利用頻度順位の高いエリア外の領域に前記複数のアイテムのうち利用頻度順位の高いアイテムの下層のアイテムまたは同系統のアイテムを表示する
請求項４に記載の携帯情報機器。
【請求項１１】
前記表示構成制御部は、タッチパネル画面上に表示されていない利用頻度の低い機能へのアクセス用として、その他メニューアクセスアイテムを表示する
請求項４に記載の携帯情報機器。
【請求項１２】
前記表示構成制御部は、前記利用頻度順位の高いエリア外の領域に前記複数のアイテム以外の付加情報を重畳表示する
請求項４に記載の携帯情報機器。
【請求項１３】
前記表示構成制御部は、内蔵された感圧センサよりのセンサ情報に基づいて前記複数のアイテムを配置する
請求項４に記載の携帯情報機器。
【発明の詳細な説明】
【技術分野】
【０００１】
本発明は、タッチパネル画面を備えた携帯情報機器に関し、より詳細にはタッチパネル画面上の利用頻度順位の高いエリアに利用頻度順位の高いアイテムを再配置する機能に関するものである。
【背景技術】
【０００２】
従来のタッチパネル画面を備えた端末機器は、図９（ａ）に示すようにタッチパネル画面上に表示された複数の商品メニューを選択する商品メニュー選択部９１と、商品メニュー別に購入頻度を記憶する購入頻度記憶部９２と、商品メニューの配置位置を記憶する配置位置記憶部９３と、購入頻度に基づいて複数の商品メニューの配置位置を並べ替える配置位置設定制御部９４と、全体を制御する全体制御部９５とで構成されている。
【０００３】
端末機器の初期画面では商品Ａから商品Ｏまでの商品メニューが順番に配列されているが、購入頻度に基づいて利用者の選択頻度の最も高い商品（商品Ａ）をタッチパネル画面の略中央位置に配置し、若しくは、図９（ｂ）に示すように利用者の選択頻度の高い商品群（商品Ａ、商品Ｏ、商品Ｅ）をタッチパネル画面の略中央位置に並び替えするものが知られている（例えば、特許文献１参照）。
【先行技術文献】
【特許文献】
【０００４】
【特許文献１】特開２００２−２６９５９６号公報
【発明の概要】
【発明が解決しようとする課題】
【０００５】
従来のタッチパネル画面を備えた端末機器は、利用者の選択頻度の高い商品メニュー、若しくは、選択頻度の高い商品メニュー群をタッチパネル画面の略中央位置に並び替えるものである。
【０００６】
不特定多数の利用者が利用する券売機などの端末機器においては、タッチパネル画面の略中央位置は利用者の目に付きやすく且つメニュー選択しやすい位置で、その位置に利用者の選択頻度の高い商品メニュー、若しくは、利用者の選択頻度の高い商品メニュー群を並び替えることによって機器利用の操作性は向上する。
【０００７】
しかしながら、利用者が所有者または占有者に限定されるなど当事者がほぼ独占的に使用するタッチパネル画面を備えた携帯情報機器においては、利用者の特性（右利き、左利き、手の大きさ、機器の握り方、握り力など）や機器の諸元（機器の大きさ、機器の質量、表示画面の大きさなど）やタッチパネル画面への入力手段（指入力、ペン入力など）などによって、タッチパネル画面上の領域（以下、エリアと呼ぶ）のうち入力操作のしやすいエリアと入力操作のしがたいエリアが生じる。また、タッチパネル画面上のボタンなどの機能（以下、アイテムと呼ぶ）のうち、利用者の利用頻度の高いアイテムを略中央位置に配置することが機器利用の操作性の向上に必ずしも繋がらないという課題を有していた。
【０００８】
本発明は、このような従来の課題を解決するためになされたもので、利用者の特性や機器の諸元やタッチパネル画面への入力手段などに応じて、例えば、利用頻度順位の高いアイテムをタッチパネル画面上の利用頻度順位の高いエリアへ自動的に再配置するなど、タッチパネル画面上のアイテムをタッチパネル画面上のエリアに自動的に再配置して利用者の操作性を向上させることができる携帯情報機器を提供することを目的としたものである。
【課題を解決するための手段】
【０００９】
本発明の情報機器は、複数のアイテムを表示する表示部と、タッチ入力を検出する入力部と、入力部の検出したタッチ入力に基づいて、入力部の複数のアイテムのうちいずれかに対する操作であって複数のアイテムのうちいずれかを選択する第１の操作と、入力部の複数のアイテムに対応する位置とは無関係な複数の位置のうちいずれかの位置に対する操作であって複数のアイテムのいずれをも選択しない第２の操作と、を判定する入力情報判定部と、複数のアイテムのそれぞれに対して第１の操作を行った頻度をカウント記録する第１の記録部と、入力部の複数の位置のそれぞれに対して第２の操作を行った頻度をカウント記録する第２の記録部と、入力部の複数の位置のうち第２の操作を行った頻度の高い位置に、複数のアイテムのうち第１の操作を行った頻度の高いアイテムを表示させる表示構成制御部を備えた構成を有している。
【００１０】
また、本発明の情報機器では、第１の操作はタップ操作であり、第２の操作はスライド操作又はフリック操作である。
【００１１】
この構成により、タップ操作などのエリアが決められている操作により利用したアイテムに関するアイテム情報と、スライド操作やフリック操作などの操作ためのエリアが決められていない操作により利用したエリア情報との蓄積結果から利用したアイテムと利用したエリアの利用頻度順位を判定し、判定した利用頻度順位に基づいて利用頻度順位の高いアイテムを利用頻度順位の高いエリアへ自動的に再配置することができる。
【００１２】
また、本発明の情報機器では、入力部はタッチパネルである。
【００１３】
この構成により、判定した利用頻度順位に基づいて利用頻度順位の高いアイテムをタッチパネル画面上の利用頻度順位の高いエリアへ自動的に再配置することができる。
【００１４】
本発明の携帯情報機器は、タッチパネル画面上に複数のアイテムを表示し、タッチパネルを介して入力操作を行う携帯情報機器であって、入力操作により複数のアイテムのうち利用したアイテムと利用したエリアに関する入力情報を入力制御する入力制御部と、入力情報に基づいて利用したアイテムと利用したエリアの解析を行う入力情報解析部と、入力情報解析部の解析情報に基づいて利用したアイテムと利用したエリアの利用頻度順位を判定し、入力情報に付加情報を関連付けたユーザ利用情報を管理するユーザ利用情報管理部と、利用したアイテムと利用したエリアの利用頻度順位に基づいてタッチパネル画面上での複数のアイテムの配置を決定する表示構成制御部を備えた構成を有している。
【００１５】
この構成により、タッチパネル画面上でタップ操作などのエリアが決められている操作により利用したアイテムに関するアイテム情報とタッチパネル画面上でスライド操作やフリック操作などの操作ためのエリアが決められていない操作により利用したエリア情報との蓄積結果から利用したアイテムと利用したエリアの利用頻度順位を判定し、判定した利用頻度順位に基づいて利用頻度順位の高いアイテムをタッチパネル画面上の利用頻度順位の高いエリアへ自動的に再配置することができる。
【００１６】
また、本発明の携帯情報機器は、入力情報は、タッチパネル画面上のタッチ座標位置とリリース座標位置およびタッチ回数を含む構成を有している。
【００１７】
この構成により、タッチパネル画面上でタップ操作などのエリアが決められている操作によりタップしたタッチ座標位置とタッチ回数に関する情報を取得することができる。
【００１８】
また、タッチパネル画面上でスライド操作やフリック操作などの操作ためのエリアが決められていない操作によりタッチしたタッチ座標位置とリリースしたリリース座標位置およびタッチ回数に関する情報を取得することができる。
【００１９】
さらに、タッチパネルを構成するマトリクススイッチの出力信号よりタッチパネル画面上への接触面積の大きさが判別でき、タッチパネル画面を指先で触れたか入力ペンで触れたかが判別できる。
【００２０】
また、本発明の携帯情報機器は、利用したアイテムと利用したエリアの利用頻度順位は、タッチ回数を降順に並べて判定する構成を有している。
【００２１】
この構成により、タッチパネル画面上の全てのアイテム毎の利用頻度順位とエリア毎の利用頻度順位を判定することができる。
【００２２】
また、本発明の携帯情報機器は、付加情報は、時刻情報とアプリケーション情報とである構成を有している。
【００２３】
この構成により、タッチパネル画面上の複数のアイテムのうち利用したアイテム関するアイテム情報と利用したエリアに関するエリア情報に時刻情報とアプリケーション情報とを付加情報として関連付けることができる。
【００２４】
また、本発明の携帯情報機器は、表示構成制御部は、利用頻度順位の高いエリアが交差している場合は交差点を優先順位の高いエリアとして判定し、利用頻度順位の高いエリアが分散している場合は上位の複数点を結んで囲まれた領域内を優先順位の高いエリアとして判定する構成を有している。
【００２５】
この構成により、タッチパネル画面上で利用頻度順位の高いエリアが交差している場合は交差点を優先順位の最も高いエリアとして判定し、利用頻度順位の高いエリアが分散している場合は上位の複数点を結んで囲まれた領域内を優先順位の高いエリアとして判定することができる。
【００２６】
また、本発明の携帯情報機器は、表示構成制御部は、利用頻度順位の高いエリアに利用したアイテムを大きいサイズで表示し、利用頻度順位の高いエリア外の領域に利用したアイテム以外のアイテムを小さいサイズで表示する構成を有している。
【００２７】
この構成により、タッチパネル画面上で利用頻度順位の高いエリアに利用したアイテムを大きいサイズで表示し、利用頻度順位の高いエリア外の領域に利用したアイテム以外のアイテムを小さいサイズで表示することができる。
【００２８】
また、本発明の携帯情報機器は、表示構成制御部は、利用頻度順位の高いエリア外の領域に複数のアイテムのうち利用頻度順位の高いアイテムの下層のアイテムまたは同系統のアイテムを表示する構成を有している。
【００２９】
この構成により、タッチパネル画面上で利用頻度順位の高いエリア外の領域に複数のアイテムのうち利用頻度順位の高いアイテムの下層のアイテムまたは同系統のアイテムを表示することができる。
【００３０】
また、本発明の携帯情報機器は、表示構成制御部は、タッチパネル画面上に表示されていない利用頻度の低い機能へのアクセス用として、その他メニューアクセスアイテムを表示する構成を有している。
【００３１】
この構成により、タッチパネル画面上に表示されていない利用頻度の低い機能へのアクセス用として、その他メニューアクセスアイテムを表示することができる。
【００３２】
また、本発明の携帯情報機器は、表示構成制御部は、利用頻度順位の高いエリア外の領域に複数のアイテム以外の付加情報を重畳表示する構成を有している。
【００３３】
この構成により、タッチパネル画面上で利用頻度順位の高いエリア外の領域に複数のアイテム以外の付加情報を重畳表示することができる。
【００３４】
また、本発明の携帯情報機器は、表示構成制御部は、内蔵された感圧センサよりのセンサ情報に基づいて複数のアイテムを配置する構成を有している。
【００３５】
この構成により、タッチパネル画面上に内蔵された感圧センサよりのセンサ情報に基づいて複数のアイテムを配置することができる。
【発明の効果】
【００３６】
本発明によれば、利用者の特性や機器の諸元やタッチパネル画面への入力手段などに応じて、例えば、利用頻度順位の高いアイテムをタッチパネル画面上の利用頻度順位の高いエリアへ自動的に再配置するなど、タッチパネル画面上のアイテムをタッチパネル画面上のエリアに自動的に再配置して利用者の操作性を向上させることができるという効果を有する携帯情報機器を提供することができるものである。
【図面の簡単な説明】
【００３７】
【図１】本発明の実施の形態１における携帯情報機器の入力操作を説明する図
【図２】本発明の実施の形態１における携帯情報機器の構成を示すブロック図
【図３】（ａ）本発明の実施の形態１における携帯情報機器のアイテムの配置を説明する図（ｂ）アイテムの利用頻度順位を説明する図
【図４】（ａ）本発明の実施の形態１における携帯情報機器のエリアの配置を説明する図（ｂ）エリアの利用頻度順位を説明する図
【図５】本発明の実施の形態１における携帯情報機器のアイテムの再配置を説明する図
【図６】本発明の実施の形態２における携帯情報機器のアイテムの再配置を説明する図
【図７】本発明の実施の形態３における携帯情報機器の構成を示すブロック図
【図８】（ａ）本発明の実施の形態３における携帯情報機器の保持を説明する図（ｂ）アイテムの再配置を説明する図
【図９】従来の端末機器の構成を示すブロック図
【発明を実施するための形態】
【００３８】
（実施の形態１）
以下、本発明の実施の形態の携帯情報機器について、図面を用いて説明する。
【００３９】
図１は、本発明の実施の形態１における携帯情報機器の入力操作を説明する図である。
【００４０】
一般的に携帯情報機器１０と呼称される機器は、タッチパネル１１を備え、タッチパネル画面上に複数の絵文字や数字やアルファベットなどよりなる機器機能に連携したアイテム１２を表示し、このアイテム１２を操作エリアとして指先や専用の入力ペンで軽くタップ操作などの操作をすることによって入力操作が行われるようになっている。
【００４１】
また、同一画面に表示し切れなかった前後画面のアイテム１２を検索する場合や電子書籍などでのページ捲りや画面表示領域の移動などのためには、タッチパネル画面上で操作エリアが決められていないエリアを指先や専用の入力ペンでスライド操作やフリック操作などの操作をすることによって入力操作が行われるようになっている。
【００４２】
図１（ａ）は、携帯情報機器１０を左手１６で保持し、タッチパネル画面上にある１８個のアイテム１２から利用者の必要な機能に連携したアイテム（図の場合、左列４段目のアイテム）を選択し、右手１８の人差し指によるタップ操作での入力操作の様子を示している。
【００４３】
タッチパネル画面上の配置された複数のアイテムから必要なアイテムを選択しタップ操作での入力操作を行う場合、選択したアイテムへの指先または入力ペン先のタップのしやすさは、利用者の特性（右利き、左利き、指の大きさ、機器の握り方、握り力など）や機器の諸元（機器の大きさ、機器の質量、アイテムサイズなど）などによって、タップのしやすい位置とそうでない位置が生じてくる。
【００４４】
図１（ｂ）は、携帯情報機器１０を左手１６で保持し、タッチパネル画面上にある１８個のエリア１４の一部を右手１８の人差し指で触れ（図の場合、左列５段目のエリア）、タッチパネル画面上に触れた状態で右列５段目のエリアまで右方向（矢印方向）にスライドするスライド操作による入力操作の様子を示している。なお、理解を深めるためにタッチパネル画面を横方向３分割縦方向６分割し１８個のエリア１４に区分している。
【００４５】
タッチパネル画面上に指先または入力ペン先を触れ、触れた状態で左右方向または上下方向にスライドするスライド操作または触れた状態でフリックするフリック操作での操作を行う場合も、タップ操作での入力操作と同様に指先または入力ペン先のスライドやフリックのしやすさは、利用者の特性（右利き、左利き、指の大きさ、機器の握り方、握り力など）や機器の諸元（機器の大きさ、機器の質量、アイテム間隔など）などによって、スライドまたはフリックのしやすい位置とそうでない位置が生じてくる。
【００４６】
図２は、本実施の形態１の携帯情報機器の構成を示すブロック図である。
【００４７】
図２において、本実施の形態の携帯情報機器は、タッチパネル画面上に複数のアイテムを表示し、タッチパネル１１を介して入力操作を行う携帯情報機器であって、入力制御部２１は、入力操作により複数のアイテムのうち利用したアイテムと利用したエリアに関する入力情報の入力制御とエラー情報の管理監視を行う。
【００４８】
入力情報解析部２２は、入力情報に基づいて利用したアイテムと利用したエリアの座標情報の解析を行う。
【００４９】
ユーザ利用情報管理部２３は、入力情報解析部２２の解析情報に基づいて利用したアイテムと利用したエリアの利用頻度順位を判定し、入力情報に付加情報を関連付けたユーザ利用情報を管理する。
【００５０】
ユーザ利用情報データベース２４は、ユーザ利用情報をアイテム情報データベース、エリア情報データベース、アプリケーションデータベースなどに機能別区分してユーザ利用情報データベースとして格納更新する。
【００５１】
表示構成制御部２５は、利用したアイテムと利用したエリアの利用頻度順位に基づいてタッチパネル画面上での複数のアイテムの配置を決定する。
【００５２】
表示制御部２６は、表示構成制御部２５の配置指示に基づいて液晶ディスプレイや有機ＥＬディスプレイなどのディスプレイ２７への表示を制御する。
【００５３】
アプリケーション管理部２８は、タッチパネル画面上のそれぞれのアイテムに関連付けられた各種のアプリケーションを管理する。
【００５４】
時間管理部２９は、タッチパネル画面上での入力操作が実施された時刻や表示構成制御部２５が再配置を決定した時刻などを管理する。
【００５５】
以上のように構成された携帯情報機器について、図３、図４および図５を用いてアイテムの再配置手順を説明する。
【００５６】
図３は、アイテムの配置と利用頻度順位を説明する図である。
【００５７】
図３（ａ）は、タッチパネル１１を介して入力操作を行う携帯情報機器１０のタッチパネル画面上に機能の異なる１８個のアイテム１２が配置された状態を示す。
【００５８】
このアイテム１２の配置は、携帯情報機器１０の製造者が設定した初期状態の配置であってもよいし、利用者によってカスタマイズされた配置であってもよい。なお、理解を深めるために各アイテムには「Ａ」から「Ｒ」までの記号を付す。
【００５９】
図３（ｂ）は、図３（ａ）に示したアイテムの配置で、利用者が携帯情報機器１０を一定期間利用した後の各アイテムの利用頻度  すなわち、タッチパネル画面上のそれぞれのアイテムをタップ操作などで利用した回数を蓄積し、回数の多い順に順位を付した図である。
【００６０】
この図３（ｂ）より、中列１段目のアイテム「Ｂ」が最も多く利用され、次に右列３段目のアイテム「Ｉ」、以下左列２段目のアイテム「Ｄ」と利用頻度の順位が判明する。
【００６１】
すなわち、携帯情報機器１０の所有者は、アイテム「Ｂ」に連携した機能を最も多く使用し、次にアイテム「Ｉ」に連携した機能を多く使用していることが判明する。
【００６２】
次に、図４は、エリアの配置と利用頻度順位を説明する図である。
【００６３】
図４（ａ）は、携帯情報機器１０のタッチパネル画面上を１８個のエリアに分割した状態を示す。なお、理解を深めるために各エリアに「ａ」から「ｒ」までの記号を付し、手型の模式パターンでスライドの方向と距離を示している。なお、スライド方向は上下方向、左右方向および斜め方向のいずれでもよい。また、スライド判別はタッチパネル１１を構成するマトリクススイッチのピクセル数で決定されるため同一領域内の微小距離移動でも問題なくスライド操作の判別が可能である。
【００６４】
図４（ｂ）は、図４（ａ）に示したエリアの配置で、利用者が携帯情報機器１０を一定期間利用した後の各エリアの利用頻度  すなわち、タッチパネル画面上でスライド操作やフリック操作などで利用した回数を蓄積し、回数の多い順に順位を付した図である。なお、回数は、タッチパネル画面上にタッチしたエリアとスライドしたエリアとリリースしたエリアをカウントしている。例えば、図４（ａ）の下方向にスライドした例では、エリア「ｉ」エリア「ｌ」エリア「ｏ」が回数カウントの対象となる。
【００６５】
この図４（ｂ）より、右列２段目のエリア「ｆ」が最も多く利用され、次に中列２段目のエリア「ｅ」、以下左列２段目のエリア「ｄ」と利用頻度の順位が判明する。
【００６６】
すなわち、携帯情報機器１０の所有者は、エリア「ｆ」を含む左右方向のエリアをスライド操作で最も多く使用し、次にエリア「ｆ」を含む下方向のエリアをスライド操作で多く使用していることが判明する。
【００６７】
なお、以上の本実施の形態では利用頻度を把握するために一定期間の情報を蓄積するように説明したが、一定期間は時間に限定されるものでなく、例えばアプリケーション追加やアプリケーション削除などのイベント発生時であってもよい。
【００６８】
次に、図５は、アイテムの再配置を説明する図である。
【００６９】
まず、図４（ｂ）より携帯情報機器１０の利用者は、タッチパネル画面上でのスライド操作やフリック操作などは、エリア「ｆ」を含む左右方向のエリア（楕円５１）を最も多く使用し、次にエリア「ｆ」を含む下方向のエリア（楕円５２）を多く使用していることが判明した。
【００７０】
そこで、第１に利用頻度順位の高いエリア（楕円５１）と第２に利用頻度順位の高いエリア（楕円５２）が交差しているため、交差点（エリア「ｆ」）を優先順位の最も高いエリアとして判定し、この位置に図３（ｂ）で最も利用頻度順位の高いアイテム「Ｂ」をまず配置する。
【００７１】
次に、図４（ｂ）で２番目に利用頻度順位の高いエリア「ｅ」に図３（ｂ）で２番目に利用頻度順位の高いアイテム「Ｉ」を配置する。
【００７２】
次に、図４（ｂ）で３番目に利用頻度順位の高いエリア「ｄ」に図３（ｂ）で３番目に利用頻度順位の高いアイテム「Ｄ」を配置する。同様にして残りのすべてのアイテムを再配置したものが図５である。
【００７３】
以上のように、本発明の形態の携帯情報機器によれば、利用者の特性や機器の諸元やタッチパネル画面への入力手段などに応じて、例えば、利用頻度順位の高いアイテムをタッチパネル画面上の利用頻度順位の高いエリアへ自動的に再配置するなど、タッチパネル画面上のアイテムをタッチパネル画面上のエリアに自動的に再配置して利用者の操作性を向上させることができる。
【００７４】
なお、以上の本実施の形態では、利用頻度順位の高いエリアが交差している場合のアイテムの再配置について説明したが、利用頻度順位の最も高いエリアが単独で存在する場合はそのエリアに利用頻度順位の最も高いアイテムを再配置する。また、利用頻度順位の高いエリアが分散している場合は、上位の複数点を結んで囲まれた領域内を優先順位の高いエリアとして判定し、そのエリアに利用頻度順位の高いアイテムを再配置するようにしてもよい。
【００７５】
また、以上の本実施の形態では、再配置の前後におけるアイテムのサイズに関しては説明しなかったが、再配置前後で同一サイズであってもよいし、利用頻度順位の高いエリアに再配置するアイテムを大きいサイズに変更して表示し、利用頻度順位の高いエリア外の領域に再配置するアイテムは小さいサイズに変更または再配置前と同じサイズで表示することもでき、再配置の前後においてアイテムサイズを変えて表示することにより利用頻度順位の高いアイテムがタッチパネル画面上で目立つようになり利用者の操作性はさらに向上する。
【００７６】
また、以上の本実施の形態では、利用したエリアと利用したアイテムとを利用頻度順位に対応して再配置するように説明したが、利用頻度順位の高いエリア外の領域には、対応する利用頻度順位の低いアイテムを再配置する替わりに利用頻度順位の高いアイテムの下層のアイテム、例えば、上位のアイテムをカメラにして下位のアイテムを撮影モードや再生モードなどにすることもできる。
【００７７】
また、対応する利用頻度順位の低いアイテムを再配置する替わりに利用頻度順位の高いアイテムと同系統のアイテム、例えば、上位のアイテムをカメラにして下位のアイテムをムービにすることもできる。このように対応する利用頻度順位の低いアイテムを再配置する替わりに別のアイテムを配置することによって少ない操作手順で目的の機能にアクセスでき、利用者の操作性はさらに向上する。
【００７８】
また、以上の本実施の形態では、利用したエリアと利用したアイテムを利用頻度順位に対応して再配置するように説明したが、タッチパネル画面上に表示されていないアイテムへのアクセス用に、その他メニューアクセスアイテムを配置することによって利用頻度順位の低いアイテムへのアクセスが容易となり利用者の操作性はさらに向上する。
【００７９】
（実施の形態２）
本発明の実施の形態２における携帯情報機器の構成を示すブロック図は、実施の形態１の携帯情報機器の構成を示すブロック図と同じであるため省略する。
【００８０】
また、タッチパネル画面上でタップ操作などのエリアが決められている操作により利用したアイテムに関するアイテム情報とタッチパネル画面上でスライド操作やフリック操作などの操作ためのエリアが決められていない操作により利用したエリア情報との蓄積結果から利用したアイテムと利用したエリアの利用頻度順位を判定し、判定した利用頻度順位に基づいて利用頻度順位の高いアイテムをタッチパネル画面上の利用頻度順位の高いエリアへ自動的に再配置する配置手順は実施の形態１と同じであるため省略する。
【００８１】
実施の形態２と実施の形態１との相違点は、利用頻度順位の低い幾つかのアイテムをタッチパネル画面上に再配置せず、幾つかのアイテムの替りにユーザ利用情報データベース２４に格納されているアイテム以外の他の情報を呼び出して重畳表示することにある。
【００８２】
図６は、本実施の形態における携帯情報機器のアイテムの再配置を説明する図で、利用頻度順位の高いエリアと利用頻度順位の高いアイテムを対応して再配置する配置手順は本実施の形態１と同様で、大部分のアイテムは配置手順に基づいて再配置される。
【００８３】
図６においては、利用頻度順位の低いエリアである左列１段目から左列３段目までのエリアに、対応する利用頻度順位の低いアイテムを再配置せず、替りにアイテム以外の他の情報として日時情報６１を重畳表示したものである。
【００８４】
アイテム以外の他の情報としては、カレンダ表示や時刻表示やマスコット表示やメモ表示や着信表示やテロップ表示などがある。
【００８５】
以上のように、本実施の形態における携帯情報機器によれば、タッチパネル画面上でタップ操作などのエリアが決められている操作により利用したアイテムに関するアイテム情報とタッチパネル画面上でスライド操作やフリック操作などの操作ためのエリアが決められていない操作により利用したエリア情報との蓄積結果から利用したアイテムと利用したエリアの利用頻度順位を判定し、判定した利用頻度順位に基づいて利用頻度順位の高いアイテムをタッチパネル画面上の利用頻度順位の高いエリアへ自動的に再配置するが、幾つかの利用頻度順位の低いアイテムの替りに他の有用な情報を重畳表示するため、利用者の操作性が向上するとともに有効なアイテム以外の他の情報が表示されるため利便性が向上する。
【００８６】
なお、以上の本実施の形態では、利用頻度順位の高いアイテムと他の有用な情報を重畳表示するように説明したが、携帯情報機器未使用時には他の有用な情報のみを表示し、節電化を図ることもできる。
【００８７】
（実施の形態３）
図７は、本発明の実施の形態３における携帯情報機器の構成を示すブロック図である。
【００８８】
図７において、図２に示す実施の形態１と同様の構成には同一番号を付して説明は省略する。
【００８９】
本実施の形態の携帯情報機器は、図２に示す実施の形態１の携帯情報機器の構成に加えて、図７に示すように利用者による携帯情報機器の保持位置を検出する感圧センサ７１を備えている。
【００９０】
感圧センサ７１は、携帯情報機器の右側側面と左側側面の比較的広い範囲をカバーするように筐体内部に装備されており筐体表面には後述の左センサタッチ部と右センサタッチ部が露出している。
【００９１】
以上のように構成された携帯情報機器を保持すると利用者の指表面は、筐体表面の左センサタッチ部と右センサタッチ部に接触し、その接触位置を感圧センサ７１が感知し接触位置情報を表示構成制御部２５に出力する。
【００９２】
表示構成制御部２５は、感圧センサ７１よりの接触位置情報に基づいてタッチパネル画面上のアイテムの配置位置を決定する。
【００９３】
図８は、感圧センサを備えた携帯情報機器の保持状態とアイテムの配置を説明する図である。
【００９４】
図８（ａ）は、携帯情報機器８０を左手１６で保持した状態を示し、親指は携帯情報機器８０の左側側面の左センサタッチ部７２の中央付近に接触しているため、感圧センサ７１はこの領域に対応する接触位置情報を表示構成制御部２５に出力する。同時に中指と薬指は、携帯情報機器８０の右側側面の右センサタッチ部７３の中央付近と中央付近より少し端に寄った位置に接触しているため、感圧センサ７１はこの領域に対応する接触位置情報を表示構成制御部２５に出力する。
【００９５】
表示構成制御部２５は、感圧センサ７１よりの接触位置情報に基づいてタッチパネル画面上に配置するアイテム１２の配置位置を決定する。
【００９６】
図１８（ｂ）は、感圧センサ７１よりの接触位置情報に基づいてタッチパネル画面上でのアイテム１２の配置を示した図で、携帯情報機器８０の左側側面で親指が接触している付近の左列３段目と右側側面で中指と薬指が接触している付近の右列４段目と５段目は、保持している指が位置しているためタッチパネル画面上でのタップ操作やスライド操作やフリック操作などの操作のしがたいエリアであることより、このエリアにアイテムを配置しない状態を示している。
【００９７】
以上のように、本実施の形態によれば、携帯情報機器を保持した指の位置を感知し、その位置に対応したタッチパネル画面上のエリアにアイテムを配置しないため、保持した指の一部が入力操作の邪魔となることがなく携帯情報機器の操作性が向上する。
【００９８】
また、携帯情報機器の両側面に比較的広い範囲をカバーするようにセンサタッチ部を装備したため利用者の利き手（右利き、左利き）や機器の握り方などに関係なく携帯情報機器の保持位置を検出することができる。
【００９９】
なお、以上の本実施の形態では、接触位置情報に基づいて保持している指が位置しているためタッチパネル画面上でのタップ操作やスライド操作やフリック操作などの操作のしがたいエリアにアイテムを配置しない方法について説明したが、本実施の形態１で説明したようにアイテムを配置するエリア内では利用頻度順位の高いアイテムを利用頻度順位の高いエリアへ配置し、保持した指付近のエリアにはアイテムを配置しないようにすることにより、携帯情報機器の操作性はさらに向上する。
【産業上の利用可能性】
【０１００】
以上のように、本発明にかかる携帯情報機器は、利用者の特性や機器の諸元やタッチパネル画面への入力手段などに応じて、例えば、利用頻度順位の高いアイテムをタッチパネル画面上の利用頻度順位の高いエリアへ自動的に再配置するなど、タッチパネル画面上のアイテムをタッチパネル画面上のエリアに自動的に再配置して利用者の操作性を向上させるという効果を有し、ＰＤＡ（Ｐｅｒｓｏｎａｌ  Ｄｉｇｉｔａｌ  Ａｓｓｉｓｔａｎｔ）、携帯電話、パソコン、ゲーム機、カメラなどの機器に有用である。
【符号の説明】
【０１０１】
１０，８０    携帯情報機器
１１    タッチパネル
１２    アイテム
１４    エリア
２１    入力制御部
２２    入力情報解析部
２３    ユーザ利用情報管理部
２４    ユーザ利用情報データベース
２５    表示構成制御部
２６    表示制御部
２７    ディスプレイ
２８    アプリケーション管理部
２９    時間管理部
６１    日時情報
７１    感圧センサ
７２    左センサタッチ部
７３    右センサタッチ部
【図１】
2011209824.tif 000003
【図２】
2011209824.tif 000004
【図３】
2011209824.tif 000005
【図４】
2011209824.tif 000006
【図５】
2011209824.tif 000007
【図６】
2011209824.tif 000008
【図７】
2011209824.tif 000009
【図８】
2011209824.tif 000010
【図９】
2011209824.tif 000011